Podtech/llm-jp-corpus-v4-ja_patent huggingface dataset:
(57)【要約】      （修正有）【課題】腰痛や膝痛などがあっても、容易にホールインしたボールを拾い上げ、次のスタート位置まで運びセットできるグランドゴルフ用補助具を提供する。【解決手段】芯状の先端に押し出し板、後端に押し出し棒を設け、これらを覆うように継ぎ管が設けられる。継ぎ管の先端にはグローブ部材を、後端にはグリップが設けられ、グローブ部材にはボール固定突起部とゴムリングが備えられる。【選択図】図１
0003169181.tif 000002
【実用新案登録請求の範囲】
【請求項１】
本考案は芯材の一方先端には押し出し板を設け、芯材の後端には押し出し棒を設けると共に、さらにこれらを覆うようにして継ぎ管が設けられる、継ぎ管の一方先端にはグローブ部材を、後ろの端にはグリップが設けられており、前記グローブ部材にはボールが固定できるボール固定突起部が付けられており、さらにこれを弾性材からなるゴムリングが備えられており、前期押し出し棒を押し出すことでボールが押し出されるようにしたことを特徴とするグランドゴルフ用補助具。
【考案の詳細な説明】
【技術分野】
【０００１】  本考案はグランドゴルフなどに使用するボールの捕球、保持、離球する一連の操作に手を使わずに使用できることを目的としたグランドゴルフ用補助具に関する。
【背景の技術】
【０００２】  従来はグランドゴルフなどの球技に参加される方達はボールをクラブで打球しながらカップにホールインし、カップの中からボールを拾い上げ、これを手に持って次のスタート位置まで持ち運ぶ必要があった。
【先行技術文献】
【特許文献】
【０００３】
【特許文献１】  特開２００６−１２２６２５号公報
【特許文献２】  特開２００９−１３１６２２号公報
【特許文献３】  実用新案登録第３１４０７４５号公報
【０００４】  上記特許文献１は２段式収縮パイプの上端に、ベルト掛け付き収縮ウレタンスプリング付き、キーホルダーをネジ付き○リングで取付け、下端にパークゴルフの４本爪のボールホルダーを取付けた、パークゴルフ収縮２段式球取り器の記載があった。
さらに特許文献２はボール補捉用爪は、平素グリップ内に収納しており、カップイン等したボールを拾い上げる時、ボール補足装置の誤作動防止用外部回転ロック等を解き、落とし金ロックを解除してボール補足用爪をトップから外側に伸ばしてボールを拾い上げ、用済み後は上下動用支柱に取り付けているツマミをトップ側からヘッド側に移動させ、ボール補足用爪をグリップ内に収納する、これにより腰痛や膝痛の者も気軽にゴルフやパークゴルフを楽しめるものである。又、トップに塵芥等侵入防止用蓋を取り付けることにより、グリップ内へ塵芥等の侵入を最小限に防ぐことが出来るボール補捉装置の記載がある。
さらに特許文献３は棒状管の一端に球体を抱持できる硬質材半円形の捕球具を固定し捕球具の中心部に球体をのせて手をつかわずそのまま放球することを特徴とした、パークゴルフの捕球具の記載もあった。
【考案の概要】
【考案が解決しようとする課題】
【０００５】  従来は競技中に打球したボールをホールインする度にボールをいちいちカップから拾い上げたり、次のスタート位置までいちいち持ち運ぶ必要があった、しかし競技に参加する人が高齢者の場合には腰が痛かったり、膝が痛かったりして中腰になる動作が辛く少なからず競技に参加する人が少なくなっていた。
さらに特許文献１、特許文献２とも、競技中にホールインしたボールを腰をかがまずにボールを拾うことが出来、ボールを手に持って次のスタート位置まで持ち運ぶことが出来るものと思われる、さらに特許文献３は上記物件と同様の考え方とも思えるが、しかし次のスタート位置まで安全に持ち運ぶことが出来ず移動の途中ボールを落とす心配もある、そこで本考案はホールインしたボールを拾い上げると共に、次のスタート位置までの持ち運びと共にスタート位置でのボールのセットまでも出来るようにすることが目的である。
【課題を解決するための手段】
【０００６】  本考案は上記問題を解決すために芯材の一方先端には押し出し板を設け、芯材の後端には押し出し棒を設けると共にさらにこれらを覆うようにして継ぎ管が設けられる、継ぎ管の一方先端にはグローブ部材を、後ろの端にはグリップが設けられており、前記グローブ部材にはボールが固定できるボール固定突起部が付けられており、さらにこれを弾性材からなるゴムリングが備えられており、前期押し出し棒を押し出すことでボールが押し出されるようにしたことを特徴とするグランドゴルフ用補助具。
【考案の効果】
【０００７】  本考案の補助具は捕球と保持と離球まで球体を手に持つことなく次に記す効果がある。
（１）補助具は腰痛膝痛など中腰になる困難な姿勢を補助し捕球と離球を容易にした。
（２）補助具は捕球後コース内の移動に際しても、球体を補助具に確保されている。
（３）補助具からボールはスタート台に簡単にテーアップできる。
（４）補助具の手元のグリップにストライプを付け、腰ベルトに着脱できるようにする。
（５）補助具は軽量であるためプレー進行の邪魔にならない。
（６）補助具は直径６センチの球体を使用する他の球技にも活用することができる。
（７）補助具は操作が簡単で捕球、離球が片手にて出きる。
（８）補助具は制作費が安価に出来るので沢山の人に愛用できる。
【図面の簡単な説明】
【０００８】
【図１】  本補助具の正面図
【図２】  本補助具の側面図
【図３】  図１のＡ−Ａ矢視図
【図４】  図１のＢ−Ｂ矢視図
【考案を実施するための形態】
【０００９】  本考案の実施の形態を図１にもとずき以下説明する、芯材６の一方の先端には押し出し板５が設けられる、他方の後端には押し出し棒８が設けられており、これを覆うように継ぎ管１が形成されており、継ぎ管１の一方先端にはグローブ部材２が設けられ、その他方にはグリップ部材７が取り付けられており、グローブ部材２は材質としてはａｂｓ樹脂などの取り扱いのしやすい物が好ましい、芯材６や継ぎ管１は出来れば強度の強い金属が好ましく考えられている、又その他は化学樹脂や炭素繊維などのものが好ましい、次にグローブ部材２にはボールの固定突起部３が設けられており、その先端部にはボール１１が固定し易い狭持部が歯形状に形成されており、又グローブ部材２とは固定ビス１３などの固定手段がとられている。このボール固定突起部３が収縮しやすい為のゴムリング４が取り付けてある、ゴムリング４は止め金１０で固定する、なおボール補助具は芯材６の後端に設けられた押し出し棒８をうしろから押し込むことで他方に設けられた押し出し板５が簡単にボール１１を押し出すことが出来、ボール１２は離球する又ボール補助具は競技者の腰ベルトに布製ストラップ９を装着することで容易に持ち運びが出来る。
【符号の説明】
【００１０】  １      継ぎ管
２      グローブ部材
３      ボール固定突起部
４      ゴムリング
５      押し出し板
６      芯材
７      グリップ
８      押し出し棒
９      布製ストラップ
１０      止め金
１１      ボール
１２      離球後のボール
１３      固定ビス
【図１】
0003169181.tif 000003
【図２】
0003169181.tif 000004
【図３】
0003169181.tif 000005
【図４】
0003169181.tif 000006
(57)【要約】      （修正有）【課題】駐車場等の利用者が替わっても案内標識の部分（平板）を取り替えるだけで簡単に替えることができる案内標識器具を提供する。【解決手段】コの字型に折り曲げた取付器具をコンクリートブロックに上方より嵌め込み、前記取付器具の表面に平板の案内標識を入替可能にした案内標識器具であるので、コンクリートブロックに取付けた案内標識器具の利用者等の名前を容易に交換できる。【選択図】図１
0003169159.tif 000002
【実用新案登録請求の範囲】
【請求項１】
コの字型に折り曲げた取付器具をコンクリートブロックに上方より嵌め込み、前記取付器具の表面に案内標識を入替可能にした案内標識器具。
【請求項２】
平板な案内標識を入替可能にした請求項１に記載の案内標識器具。
【考案の詳細な説明】
【技術分野】
【０００１】  交通、建物、禁止等の案内表示を行う案内標識器具に関する。
【背景技術】
【０００２】  従来の案内標識板は薄い平らなプラスチック等で接着剤でコンクリート等につけていたが、コンクリートの表面が凸凹で付けにくく、又は剥がしにくかった。また、空間には止持台も別に必要であった。【０００３】  案内標識板に直接コンクリートブロックに接着したり、止持台を必要としないものとして、コの字型に折り曲げると共に、表面案内標識を貼り付け、又は直接印刷した取付器具を構成し、この取付器具をコンクリートブロックに上方よりハメ込みするものがある。
【先行技術文献】
【特許文献】
【０００４】
【特許文献１】登録実用新案第３１１５５２０号
【考案の概要】
【考案が解決しようとする課題】
【０００５】  しかし、駐車場の利用者が替わると新たな案内標識器具を取付ける必要があった。また、利用者の名前を直接印刷していたので、受注生産になり不便であった。
【課題を解決するための手段】
【０００６】  本考案は、コの字型に折り曲げた取付器具をコンクリートブロックに上方より嵌め込み、前記取付器具の表面に案内標識を入替可能にした案内標識器具である。【０００７】  平板な案内標識を入替可能にした案内標識器具である。
【考案の効果】
【０００８】  駐車場等の利用者が替わっても案内標識の部分（平板）を取り替えるだけで簡単に替えることができる。
【図面の簡単な説明】
【０００９】
【図１】本考案の案内標識器具の分解図
【図２】本考案の案内標識器具の斜視図
【図３】本考案の案内標識器具の断面図
【考案を実施するための形態】
【００１０】  以下、本考案の実施形態を図１〜図３を用いて説明する。
図１に示すように、コの字型の取付器具１の左右に止め具４ａ、４ｂを取付け、その止め具４ａ、４ｂに標識を印刷した平板の案内標識器具２を差込み固定する。更に、図２に示すようにコンクリートブロック３に上から差込む。本実施例では案内標識器具２を左右から差込み自在にしているが、上下に止め具４ａ、４ｂを取付けて案内標識器具２を上下から差込み固定してもよい。
【００１１】  コンクリートブロック３にコの字型の取付器具１を取付けたときに、下部が開くようなときは両面テープ、接着剤により下部をコンクリートブロック３に接着する。
【００１２】  また、取付器具１は平板で搬送し、設置のときにコの字状に曲げて取付けるようにすると、搬送時に嵩張ることがない。
【符号の説明】
【００１３】  １    取付器具
２    案内標識器具
３    コンクリートブロック
４ａ  止め具
４ｂ  止め具
【図１】
0003169159.tif 000003
【図２】
0003169159.tif 000004
【図３】
0003169159.tif 000005
【手続補正書】
【提出日】平成23年4月23日(2011.4.23)
【手続補正１】
【補正対象書類名】実用新案登録請求の範囲
【補正対象項目名】請求項１
【補正方法】変更
【補正の内容】
【請求項１】
コの字型に折り曲げた取付器具をコンクリートブロックに上方より嵌め込み、前記取付器具の表面に止め具を取り付け、その止め具に案内標識を差込み固定する案内標識器具。
【手続補正２】
【補正対象書類名】明細書
【補正対象項目名】０００６
【補正方法】変更
【補正の内容】
【０００６】  本考案は、コの字型に折り曲げた取付器具をコンクリートブロックに上方より嵌め込み、前記取付器具の表面に止め具を取り付け、その止め具に案内標識を差込み固定する案内標識器具である。
【手続補正３】
【補正対象書類名】図面
【補正対象項目名】図１
【補正方法】変更
【補正の内容】
【図１】
0003169159.tif 000006
【手続補正４】
【補正対象書類名】図面
【補正対象項目名】図２
【補正方法】変更
【補正の内容】
【図２】
0003169159.tif 000007
(57)【要約】      （修正有）【課題】市松模様になる変わり絵の構造体を容易に作成出来る市松シートを提供する。【解決手段】一枚のシートを打ち抜き加工して縦台紙と横帯が繋がっている物を作成し、縦台紙の倍の長さにした横帯に両面タックを市松状に貼り剥離紙をはがし接着層を作り、左右の縦台紙を谷折して横帯を山折して開けば変わり絵構造体が出来上がる。【選択図】図１
0003169158.tif 000002
【実用新案登録請求の範囲】
【請求項１】
縦台紙二枚と縦台紙をつなぐ横帯を打ち抜き加工によって一枚のシートに設け、横帯に市松模様状態に接着層を設けたもの。
【考案の詳細な説明】
【技術分野】
【００１】子供の玩具、変わり絵に類するものです。
【背景技術】
【００２】  市松模様の変わり目から開き、反対側も開けられるようにして別々の絵を配して絵が変わった様に見せる子供の玩具。
【考案の概要】
【考案が解決しようとする課題】
【００３】  変わり絵は、縦様の台紙と横用の帯と接着剤を用意して、市松模様の変わり絵構造体を作成するので多くの手順と多くの時間を要するので、１枚のシートで容易に作成出来るようにすること。
【課題を解決するための手段】
【００４】縦台紙と横帯を一連にして展開図を作り展開図に沿って打ち抜き加工して、縦台紙と横帯の用意を済ませ、接着剤は両面タックを所定の位置に貼って部分接着層を設ける事によって接着剤の用意を済ませます、縦台紙の倍の長さの横帯の上から奇数段は左半分に偶数段は右半分に両面タックを貼って接着剤の用意を済ませます、手順は両面タックの剥離紙をはがし接着層を作り出して左右の縦台紙をそれぞれ谷折して横帯に貼りつけ横帯の中心を山折して開くと市松模様が出現し、変わり絵の構造体の出来上がりです。
ります。
【考案の効果】
【００５】容易に作ることが可能なので本の付録にしたり、平らなシートの状態でも流通が可能になります。
【図面の簡単な説明】
【００６】
【図１】本考案の展開図です。
【符号の説明】
【００７】Ｔ、    左の縦台紙
Ｆ、    右の縦台紙
１、    一段目横帯左半分
２、    二段目横帯右半分
３、    三段目横帯左半分
４、    四段目横帯右半分
ａ、    両面タック横帯右半分
ｂ、    両面タック横帯左半分
ｃ、    両面タック横帯右半分
ｄ、    両面タック横帯左半分
イ、    谷折の折れ線
ロ、    山折の折れ線
ハ、    谷折の折れ線
【図１】
0003169158.tif 000003
【手続補正書】
【提出日】平成23年4月21日(2011.4.21)
【手続補正１】
【補正対象書類名】実用新案登録請求の範囲
【補正対象項目名】全文
【補正方法】変更
【補正の内容】
【実用新案登録請求の範囲】
【請求項１】
１枚のシートから縦台紙２枚と複数本の横帯を切り出します、前からも背からも開ける構造にする為に、横帯は縦台紙の幅の倍の長さにして、横帯の上から奇数段は左半分に、偶数段は右半分に接着層を設けた、横帯と縦台紙の組み合わせ。
(57)【要約】      （修正有）【課題】お玉やはし等を立体的に置くことにより、少ない場所で食器等を置くことを可能にする食器立てを提供する。【解決手段】硬質ゴムのベース１にプラスチック製の細長いパイプ２を接着させる。パイプの中にお玉やはし等を入れることにより食器を立たせる。それにより立体的に食器を立たせることにより、少しの場所で食器を置くことが出来るようにする。【選択図】図３
0003169156.tif 000002
【実用新案登録請求の範囲】
【請求項１】
ベース上にプラスチックのパイプを接着して、パイプの中に食器を立てることを特徴とする食器立て。
【考案の詳細な説明】
【技術分野】
【００１】本考案は食器等を立てる時に使用される道具に関する。
【背景技術】
【００２】従来はお玉やはし等は調理する時お皿等にお玉やはし等を置いていた。これはかなり場所を必要としていた。
【考案の概要】
【考案が解決しようとする課題】
【００３】調理する時お玉やはし等をそばに置くのはかなりの場所が必要とする問題点があった。
【課題を解決するための手段】
【００４】硬質ゴムのベースにプラスチック製の細長いパイプを接着させる。パイプの中にお玉やはし等を入れることにより食器を立たせる。それにより立体的に食器を立たせることにより、少しの場所で食器を置くことが出来ることを特徴とする。
【考案の効果】
【００５】お玉やはし等が立体的に置けるようになったので少しの場所でお玉やはし等が置けるようになった。
【図面の簡単な説明】
【００６】
【図１】本考案の多用途食器立ての側面方向からの断面図である。
【図２】本考案の多用途食器立ての平面図である。
【図３】本考案の多用途食器立ての使用状況をしめす正面図である。
【符号の説明】
【００７】１  ベース
２  食器ホルダーパイプ
３  お玉
４  はし
５  しゃもじ
【図１】
0003169156.tif 000003
【図２】
0003169156.tif 000004
【図３】
0003169156.tif 000005
(57)【要約】      （修正有）【課題】悪天候などの場合に足元及び脚部（靴、ブーツ、靴下、ズボン、素足など）に水濡れなどをなるべく少なくするために、靴下形状で撥水性材にて製作したスソカバーを提供する。【解決手段】スソカバーとは、靴下形状で撥水性材であって、靴、靴下、ブーツ、ズボン、素足、などの外部を、膝上付近まで、履くようにし、覆うように装着して、水濡れなどを防水する。付属のシール付面ファスナーａにて、足の土踏まずから甲にかけて、前後２箇所及び足首と膝上付近を締め付け、固定し安定させて使用する。【選択図】図１
0003169154.tif 000002
【実用新案登録請求の範囲】
【請求項１】
靴下形状で撥水性材であって、靴、靴下、ブーツ、ズボン、素足、などの外部を、膝上付近まで、履くようにし、覆うように装着して、水濡れなどを防水するものであり、付属のシール付面ファスナー［マジックテープ（登録商標）］付テープ（ａ）、にて、締め付け固定し安定させて使用する、スソカバー。
【請求項２】
靴底部分（ｂ）に、２箇所、靴のヒールに相当する部分と、つま先付近の滑り止めの形成部分とに、孔を設け、それぞれ、従来ある靴底の滑り止め部分を露出させて接地し得ることにより、靴底の滑り止めを生かし、又、水抜きとして設ける請求項１記載のスソカバー。
【請求項３】
請求項２項に記載の靴底部分の２箇所の孔（ｂ）、周囲には亀裂防止のためメッシュ補強を施すものとするスソカバー。
【請求項４】
折りたたんでビニールケースに入れて、ポケットに、収納することができるようにした請求項１から３のいずれかに記載のスソカバー。
【考案の詳細な説明】
【技術分野】
【０００１】  本考案は、悪天候などの場合に足元及び脚部（靴、ブーツ、靴下、ズボン、素足など）に水濡れなどをなるべく少なくするために、靴下形状で撥水性材にてスソをカバーするものである。
【背景技術】
【０００２】  悪天候に対しての足元への水対策は元来長靴などにより解決できるが、その使用を差し控えたり、制限される場合もあり又、急な天候の変化も問題となるであろう。そのために、足元付近を、簡易的に、防水するためのものを、考案した。
【先行技術文献】
【０００３】
【特許文献】
【０００４】
【特許文献１】実登３０１５３７４
【特許文献２】特開２００２−２４８００１
【考案の概要】
【考案が解決しようとする課題】
【０００５】  解決しようとする問題点は、ズボンの防水性、スソカバーの末端部の浮き上がり防止及び、商品自体をコンパクトにし携帯性をよくすることである。
【課題を解決するための手段】
【０００６】  スソカバーの末端部の浮き上がり防止は、靴下形状により履くように覆うことで解決し、又、付属の（図１．２）ａ、シール付面ファスナー付テープ、にて、歩行に障害にならないように、又、だぶつきなどもないように、締め合わせし固定し、安定するようにし使用する。
又、ズボン裾においての防水は、その外部を膝上まで、覆う形状とする。
商品自体は、薄くて丈夫な靴下形状で撥水性材とし折りたたむことができ、ビニールケースに収め携帯可能なものとする。
【考案の効果】  長靴とは異なり、折りたたむことができ、携帯性がよく、スソカバーの末端部の浮き上がりは、履くように覆い浮き上がりを防ぎ、必要に応じ付属の、シール付面ファスナー付テープ（ａ）、にて締め合わせ固定する。安定があり、脚部への防水も生かすように、膝上付近までスソを、カバーすることができる。
【図面の簡単な説明】
【０００７】
【図１】使用状況の説明図である。
【図２】使用状況における、足裏側の説明図である。
【考案を実施するための形態】
【０００８】  急な悪天候などのため、足元及び脚部への水濡れ、汚れるのを防止するために、履くように覆い（浮き上がりを防ぐ）、装着する、付属の（図１．２）ａ，テープ付マジックゴム付テープにて、締め合わして固定して、安定とする。薄く、丈夫にし折りたたむことが出来、コンパクト化し、携帯性を、よくする。
図１．２は使用状況を簡単に書いたものである、このように膝上付近までラップすることができ、靴底には、２ヶ所の孔、（図１．２）ｂ、水抜き、滑り止め、のために設け、靴下をはくような要領で覆い末端部の浮き上がりを防ぐ、歩行上、だぶつき、ゆとり、がある場合は、ひっかかり転倒防止のために、付属材（図１．２）ａ、のテープ付マジックゴム付テープ、にて締め合わせ、固定して、安定性を確保し、使用する、（図１．２）ｃ、スソカバーである。
【０００９】  装着時、だぶつきなどをなくし、安定をさすために、付属の（図１．２）ａ，シール付マジックゴム付テープ、にて締め合わせして調整し使用する。使用しない場合は、折りたたみ、ポケットに収納できる大きさとし、携帯性をよくする。スソカバーである。
【０００１０】  消耗品であり、短期的に、使用することを目的とし、かつ、簡素にすることにより安価に提供できるよう、考案したものである。（使い捨てタイプ）スソカバーである。
【符号の説明】
【０００１１】ａ，シール付面ファスナー付テープ
ｂ，周囲メッシュ補強水抜き孔２箇所
ｃ，スソカバー
【図１】
0003169154.tif 000003
【図２】
0003169154.tif 000004
【手続補正書】
【提出日】平成23年4月25日(2011.4.25)
【手続補正１】
【補正対象書類名】実用新案登録請求の範囲
【補正対象項目名】全文
【補正方法】変更
【補正の内容】
【実用新案登録請求の範囲】
【請求項１】
靴下形状で撥水性材であって、靴、靴下、ブーツ、ズボン、素足、などの外部を、膝上付近まで、履くようにし、覆うように装着して、水濡れなどを防水するものであり、付属のシール付面ファスナー（ａ）にて、足の土踏まずから甲にかけて、前後２箇所、及び足首と、膝上付近を、締め付け固定し安定させて使用する、スソカバー。
【請求項２】
靴底部分に、２箇所、靴のカカトに相当する部分と、つま先付近の滑り止めの形成部分とに、孔（ｂ）を設け、それぞれ、従来ある靴底の滑り止め部分を露出させて接地し得ることにより、靴底の滑り止めを生かし、又、水抜きとして設ける請求項１記載のスソカバー。
【請求項３】
前記靴底部分の２箇所の孔（ｂ）、周囲には亀裂防止のためメッシュ補強を施すものとする請求項２項に記載のスソカバー。
【請求項４】
折りたたんでビニールケースに入れて、ポケットに、収納することができるようにした請求項１から３のいずれかに記載のスソカバー。
(57)【要約】【課題】  座板に連結した取手付きのアームを設けた起立補助椅子を提供する。【解決手段】支柱（３）の中心に、取手付きのアーム（１）を設け、立ち上りながら取手（２）を押し下げることにより、アーム支点（４）を軸としてアームの端が上昇し背もたれ側のシャフト（６）に連結した座板（５）を持ち上げることができ、取手を押し下げる力と立ち上がり時に生じる前かがみの重心移動の力を利用して、お尻を持ち上げ押し出すことを特長とする起立補助椅子。【選択図】図１
0003169157.tif 000002
【実用新案登録請求の範囲】
【請求項１】
支柱（３）の中心に、取手付きのアーム（１）を設け、立ち上りながら取手（２）を押し下げることにより、アーム支点（４）を軸としてアームの端が上昇し背もたれ側のシャフト（６）に連結した座板（５）を持ち上げることができ、取手を押し下げる力と立ち上がり時に生じる前かがみの重心移動の力を利用して、お尻を持ち上げ押し出すことを特長とする起立補助椅子。
【考案の詳細な説明】
【技術分野】
【０００１】  この考案は、座板に連結した取手付きのアームを設けた起立補助椅子である。
【背景技術】
【０００２】  自力で立ち上がっていた。
【考案の概要】
【考案が解決しようとする課題】
【０００３】  これには次のような不便があった。
椅子から立ち上がる時は腰に負担がかかり、腰痛時や高齢者にとっては、かなりの忍耐を要する。
この不便を解消するために、シンプルな構造にて忍耐を要すことなく楽に立ち上がられるよう考案したものである。
【課題を解決する手段】
【０００４】  支柱（３）の中心に、取手付きのアーム（１）を設け、立ち上りながら取手（２）を押し下げることにより、アーム支点（４）を軸としてアームの端が上昇し背もたれ側のシャフト（６）に連結した座板（５）が持ち上げられる。
これにより、取手を押し下げる力と立ち上がり時に生じる前かがみの重心移動の力を利用して、お尻を持ち上げ押し出すことができる起立補助椅子である。
なお、立ち上がり後には座板の重みで自動的に通常時の状態に復元されるため、使用にあたっては何ら差支えない。
【考案の効果】
【０００５】  足腰の弱っている高齢者や腰痛時に助かる。
【図面の簡単な説明】
【０００６】
【図１】通常時の斜視図
【図２】起立時の斜視図
【図３】通常時の側面図
【図４】使用時の側面図
【図５】平面図
【考案を実施するための形態】
【０００７】  支柱（３）の中心に、取手付きのアーム（１）を設け、立ち上りながら取手（２）を押し下げることにより、アーム支点（４）を軸としてアームの端が上昇し背もたれ側のシャフト（６）に連結した座板（５）が持ち上げられる。
これにより、取手を押し下げる力と立ち上がり時に生じる前かがみの重心移動の力を利用して、お尻を持ち上げ押し出すことができる構造の起立補助椅子である。
【産業上の利用可能性】
【０００８】  病院・老人介護ホーム・旅館、家庭等、多岐に渡る利用が考えられる。
【符号の説明】
【０００９】  １  アーム
２  取手
３  支柱
４  アーム支点
５  座板
６  シャフト
【図１】
0003169157.tif 000003
【図２】
0003169157.tif 000004
【図３】
0003169157.tif 000005
【図４】
0003169157.tif 000006
【図５】
0003169157.tif 000007
【手続補正書】
【提出日】平成23年4月22日(2011.4.22)
【手続補正１】
【補正対象書類名】実用新案登録請求の範囲
【補正対象項目名】全文
【補正方法】変更
【補正の内容】
【実用新案登録請求の範囲】
【請求項１】
座板（５）下部の骨組みの中央部に支柱（３）を設け、更に前記支柱の中心に、取手付きのアーム（１）を設け、立ち上りながら取手（２）を押し下げることにより、アーム支点（４）を軸としてアームの端と背もたれ側の座板のシャフト（６）が連結しており、座板を持ち上げることができ、取手を押し下げる力と立ち上がり時に生じる前かがみの重心移動の力を利用して、お尻を持ち上げ押し出すことを特長とする起立補助椅子。
(57)【要約】【課題】おにぎりの１個分又は半分の量を、すくい取る事を目的とする。【解決手段】すくい取り部からなるおにぎり成形具であって、すくい取り部に凸凹の窪みもたせ、ご飯をすくい、すぐ一個分を握ることができる、又は２本用意しご飯をすくい、具材をのせその上にもう１本の「おにぎり成形具」でご飯をすくいかぶせて握るという事もできる。又、ご飯の附着を防止する表面又は裏面に凸凹を形成し、又は、フッ素樹脂コーテイング加工をすることが好ましいおにぎり成形具である。【選択図】図１
0003169155.tif 000002
【実用新案登録請求の範囲】
【請求項１】
すくい取り部２と凸凹の突起３と握りやすい柄４からなるおりぎり成形具１である。
【請求項２】
表面、裏面にごはんの附着を防止する凸凹を形成したことを特徴とする請求項１記載のおにぎり成形具である。
【請求項３】
表面、裏面にごはんの附着を防止するフッ素樹脂コーテイング加工をしたことを特徴とする請求項１に記載のおにぎり成形具である。
【考案の詳細な説明】
【技術分野】
【０００１】  本考案は、すくい取り部を設けたおにぎり成形具をもって一定量のご飯をすくい、手の平にのせておにぎりをお好みの形状に握るおにぎり成形具に関する。
【背景技術】
【０００２】  手むすびでは具を中に入れる方法、後から窪みを入れる方法等があるが、道具を使って一緒に手むすびする方法などはあまりない。従来のおにぎりは、炊きたてごはんだと、手では熱くておにぎりをにぎることができなかった。また、手にごはんつぶがつき、手が汚れる、時間がかかる、おにぎりにくぼみがないのでお好みの具がいれられない等の問題があり、この点が結構悩みであり、初心者はかっこよく握るのは難しかった。
【先行技術文献】
【特許文献】
【０００３】
【特許文献１】特開２００５−２８７４７５
【特許文献２】特開平１０−３３３９０
【考案の概要】
【考案が解決しようとする課題】
【０００４】  本考案は、上記の問題点、すなわち、炊きたてごはんだと、手では熱くておにぎりをにぎることができない。また、手にごはんつぶがつき手が汚れる、ごはんが冷めるまで時間がかかる、おにぎり成形具お型板に附着を防止する凸凹がないといった問題点を解決することができるおにぎり成形具を提供することを課題とする。
【課題を解決するための手段】
【０００６】  上記課題を解決するために、本考案によるおにぎり成形具１は、その成形具１の表裏に凸凹の突起２を設け、ごはんが型からはがれやすくするか、又は、フッ素樹脂コーテイング加工でごはんの附着を防止すると同時に成形具１を手で握りやすい柄３を設けたおにぎり成形具である。
【考案の効果】
【０００７】  本考案のおにぎり成形具には手で握りやすい柄がついており、ごはんが炊きたてで熱くても、炊飯器の中のごはんをおにぎり成形具に容易につめて、一定量の大きさのおにぎりをつくることができる。又、本考案に係るおにぎり成形具ではご飯の附着を防止するために表裏に凹凸模様の突起を設け、これらの凹凸模様を構成する各凹部には水分が入り込み易いとともに、残留し易いため、成形空間の内壁面を単なる平面とする場合に比べて、この内壁面に水分が残留し易いためごはんが附着しない効果、又は、フッ素樹脂をコーテイング加工をし、ごはんが附着しない効果等がある。
【図面の簡単な説明】
【０００８】
【図１】おにぎり成形具の斜視図
【考案を実施するための形態】
【０００９】  本考案のおにぎり成形具には手で握りやすい柄がついており、ごはんが炊きたてで熱くても、炊飯器の中のごはんをおにぎり成形具に容易につめて、一定量の大きさのおにぎりをつくることができるし、又、おにぎり成形具をもう一本使用し、具材をのせて握ることも出来る。又、この成形具ではご飯の附着を防止するために表裏に凹凸模様の突起を設け、これらの凹凸模様を構成する各凹部には水分が入り込み易いとともに、残留し易いため、成形空間の内壁面を単なる平面とする場合に比べて、この内壁面に水分が残留し易いためごはんが附着を防止する効果もある。
【符号の説明】
【００１０】  １  おにぎり成形具
２  すくい取り部
３  凸凹の突起
４  握りやすい柄
【図１】
0003169155.tif 000003
【手続補正書】
【提出日】平成23年4月26日(2011.4.26)
【手続補正１】
【補正対象書類名】実用新案登録請求の範囲
【補正対象項目名】全文
【補正方法】変更
【補正の内容】
【実用新案登録請求の範囲】
【請求項１】
すくい取り部２と凸凹の突起３と握りやすい柄４からなるおにぎり成形具。
【請求項２】
表面、裏面にごはんの付着を防止する凸凹を形成したことを特徴とする請求項１記載のおにぎり成形具。
【請求項３】
表面、裏面にごはんの付着を防止するフッ素樹脂コーテイング加工をしたことを特徴とする請求項１に記載のおにぎり成形具。
【手続補正２】
【補正対象書類名】図面
【補正対象項目名】図１
【補正方法】追加
【補正の内容】
【図１】
0003169155.tif 000004
(57)【要約】      （修正有）【課題】狭い場所に取りつけることができる吊下具を提供する。【解決手段】支持軸の上部に、水平方向に突出した取付部を設け、下部にフック部を形設すると共に、取付部の下面先端部にストッパーピンを垂直方向に突設してなることを特徴とする。【選択図】図１
0003169108.tif 000002
【実用新案登録請求の範囲】
【請求項１】
支持軸の上部に、水平方向に突出した取付部を設け、下部にフック部を形設すると共に、取付部の下面先端部にストッパーピンを垂直方向に突設してなることを特徴とする吊下具。
【請求項２】
取付部の内寸法を８ｍｍ以下とすることを特徴とする請求項１記載の吊下具。
【考案の詳細な説明】
【技術分野】
【０００１】  本考案は、建物内の木製の狭い桟等の上面に取り付ける吊下具に関するものである。
【背景技術】
【０００２】  従来の技術としては、内角がほぼ直角のＬ字形の固体の内側にフレキシブルな物体の一部を固定し、該物体の一面には粘着性物質が設けられ、該固体にはものを吊り下げるための突起部を設けたフックがある。（特許文献１参照）
【先行技術文献】
【特許文献】
【０００３】
【特許文献１】  特開平８−７０９８３号公報
【考案の概要】
【考案が解決しようとする課題】
【０００４】  上記従来技術は、粘着性物質を設けてなることが主であると共に、大きさを示していないため、どの場所なら使用できるかが分からない。【０００５】  本考案は、取付部とストッパーピンにより、建物内の木製の狭い桟や開き戸の上面に取り付けて、ハンガー等を吊り下げる。
また、取付部の内寸法を８ｍｍ以下とすることにより、狭い場所や空間に取り付けることができる吊下具を提供することを目的とする。
【課題を解決するための手段】
【０００６】本考案は、支持軸の上部に、水平方向に突出した取付部を設け、下部にフック部を形設すると共に、取付部の下面先端部にストッパーピンを垂直方向に突設してなること。取付部の内寸法を８ｍｍ以下とすること。
【考案の効果】
【０００７】１）、取付部とストッパーピンにより、建物内の木製の狭い桟等の上面に押圧して取り付けるため、ずれることなく使用できる。
２）、取付部の内寸法を８ｍｍ以下とすることにより、狭い桟等の上面に取り付けることができる。
３）、ストッパーピンを取付部の下面先端部に突設することにより、狭い桟の奥側に固定することに、より確実に固定することができる。
【図面の簡単な説明】
【０００８】
【図１】  本考案の第１実施例を示す吊下具の側面図。
【図２】  本考案の第１実施例を示す吊下具の正面図。
【図３】  本考案の第１実施例を示す吊下具の桟への使用状態図。
【考案の実施するための形態】
【０００９】  本考案の吊下具１は、平板（鉄板）による支持軸２の上部に、水平方向に突出した取付部３を設け、下部にフック部４を設けると共に、取付部３の下面にストッパーピン５を垂直方向に突設してある。
なお、取付部３の内寸法Ｓを８ｍｍ以下とすることが望ましい。
【００１０】  つぎに、吊下具１の使用例を説明する。
例えば、建物の壁Ｋの上部に設けた木製の桟ＳＡ（幅が１０ｍｍ位のもの）に吊下具１を取り付ける場合、木製の桟ＳＡの上面に吊下具１の取付部３を上方より押圧して固定する。
この状態でフック部４にハンガーＨ等を引っ掛けて使用するものである。
【００１１】  上記実施例において、
吊下具の幅寸法や全体の長さ等は限定するものではない。
また、取付場所においても同様である。
さらに、材質として鉄製に限定せず、樹脂製でもよい。
【符号の説明】
【００１２】１−−−吊下具
２−−−支持軸
３−−−取付部
４−−−フック部
５−−−ストッパーピン
Ｓ−−−桟
【図１】
0003169108.tif 000003
【図２】
0003169108.tif 000004
【図３】
0003169108.tif 000005
(57)【要約】      （修正有）【課題】耐久性のあるスパイクシューズを提供する。【解決手段】つま先に保護カバー２が取り付けられたスパイクシューズ８において前記保護カバーの摩耗し易い箇所に、その上から金属製の保護金具３を被せて密着固定する事を特徴とする。スパイクシューズの特に摩耗し易い箇所に金属製の保護金具を重ね合わせたので、スパイクシューズが長持ちし、結果的に経済性の優れたものとなる。【選択図】図１
0003169105.tif 000002
【実用新案登録請求の範囲】
【請求項１】
スパイクシューズのつま先と側面を保護するスパイクシューズの保護カバーで有って、その保護カバーの摩耗する箇所のつま先又は側面に保護金具を取り付けたことを特徴とするスパイクシューズ。
【請求項２】
前記保護金具の取り付けは、合成樹脂もしくは合成ゴムを介在させて取り付けた事を特徴とする請求項１に記載のスパイクシューズ。
【請求項３】
前記保護金具の取り付けは、保護カバーにリベットで「かしめ」られている事を特徴とする請求項１のスパイクシューズ。
【請求項４】
前記保護金具の先端には、複数の爪を有する事を特徴とする請求項１に記載のスパイクシューズ。
【考案の詳細な説明】
【技術分野】
【０００１】スパイクシューズの保護カバーの製造技術分野に関する。
【背景技術】
【０００２】この種の保護カバーとしては、合成樹脂製のものが主流である。
【発明が解決しようとする課題】
【０００３】ところが従来の保護カバーは耐久力が不足していて、つま先と土踏まずの間に運動時に体重が乗りスパイクシューズの内側と角が摩耗して穴が開き、スパイクシューズまでも損傷して片方のスパイクシューズが健在でも廃棄に至り、その結果非常な不経済になり、廃棄して「ごみ」になり、その結果ＣＯ２の発生に繋がる。
【課題を解決するための手段】
【０００４】つま先に保護カバーが取り付けられたスパイクシューズにおいて前記保護カバーの摩耗し易い箇所に、その上から金属製の保護金具を被せて密着固定する事を特徴とする。
【発明の効果】
【０００５】スパイクシューズの特に摩耗し易い箇所に金属製の保護金具を重ね合わせたので、スパイクシューズが長持ちし、結果的に経済性の優れたものとなる。
【図面の簡単な説明】
【０００６】
【図１】本発明の一実施形態に係るスパイクシューズの外観斜視図。
【図２】本発明の一実施形態に係るスパイクシューズのソールを示す平面図。
【図３】本発明の一実施形態に係るスパイクシューズに保護カバー、保護金具を装着する前の一部断面図。
【図４】前記スパイクシューズに保護カバー、保護金具を取り付けて固定した状態の一部断面。
【図５】本発明の一実施形態に係るスパイクシューズのソール平面図。
【考案を実施するための形態】
【０００７】以下、本発明の実施の形態を図１〜図５に基づいて説明する。
【実施例】
【０００８】図１において、本発明の一実施形態に係るスパイクシューズ８のつま先には、保護カバー２が取りに付けられ、保護カバー２の先端には、特に摩耗しやすい箇所に金属製の保護金具３を複数のリベット１で「かしめ」ている、又この保護金具３の先端下部に必要な数の爪９を設けている、スパイクシューズ８に保護カバー２と保護金具３を取り付けているのは保護金具３、保護カバー２が損傷しても、保護金具３、保護カバー２の取替えが可能で有る。【０００９】図２は、スパイクシューズ８のソールのつま先には、爪９が無い保護カバー２が必要な複数の金属製木ねじ７でスパイクシューズに取り付けられている。【００１０】図３は、つま先に保護金具３を取り付ける前の部分断面図を表す。この図において保護金具３の下面には爪９を設けており、この保護金具３と保護カバー２との間に緩衝材４を介在させ、更に保護カバー２の裏面には座金６を設けそれらをリベット１を貫通させて「かしめ」ている。【００１１】図４は、リベット１で「かしめ」た状態の断面を表す。この図において保護金具３がとりつけられた保護カバー２がスパイクシューズ８に必要な数の金属製の木ねじ７で取り付けている状態の断面図を表している。【００１２】図５は、保護金具３に設けられた爪９の配置と、保護カバー２をソウルに取り付ける複数の金属製の木ねじの配置を示す。
【符号の説明】
【００１３】１．リベット    ２．保護カバー    ３．保護金具    ４．緩衝材
５．スパイクシューズの紐    ６．座金    ７．金属製木ねじ
８．スパイクシューズ    ９．金具の爪    １０．スパイクシューズのゴムの爪
【図１】
0003169105.tif 000003
【図２】
0003169105.tif 000004
【図３】
0003169105.tif 000005
【図４】
0003169105.tif 000006
【図５】
0003169105.tif 000007
(57)【要約】      （修正有）【課題】紙からなる巻き締め加工により組み立てられる容器において、加工容易性に優れ、組み立て可能な形状が増えることで表現性に優れた紙管容器を提供する。【解決手段】側面にあたる帯の内側に巻き込む部分に細かいピッチで山谷のカットを入れる。帯の巻き込み部分の形状を変えることで、熱や圧力をかけて巻き込む際のストッパー部分にかかる負荷が均等になるようにする。これにより、ストッパーを形成する際に圧力が分散され、容器の天面から側面にかけての縁の部分が滑らかになる。また、容器の形状が円筒・楕円型だけでなく、複数の曲線や直線を組み合わせた形にも対応出来るようになる。【選択図】図２
0003169180.tif 000002
【実用新案登録請求の範囲】
【請求項１】
紙からなる巻き締め加工により組み立てられる容器において、側面にあたる帯の内側に巻き込む部分に細かいピッチで山谷のカットを入れておくことで、熱や圧力をかけて内側に巻き込む際に容易に圧力が分散されて容器の天面から側面にかけての縁の部分が凸凹のない滑らかな曲線となり、また、容器の形状についても円筒・楕円型だけでなく複数の曲線や直線を組み合わせた形をも滑らかに表現することが出来る紙管容器。
【考案の詳細な説明】
【技術分野】
【０００１】  本考案は紙からなる巻き締め加工により組み立てられる容器に関する。
【背景技術】
【０００２】  従来の巻き締め式紙管容器は、側面となる帯状の板紙の両端を貼り合わせて輪にし、円周の縁を端から内側に巻き込んでストッパー部分を形成、底面となるメンコをはめ込んで組み立てられる。熱や圧力を加えて内側に巻き締めるが、厚みのある紙を丸く巻き込むため負荷がかかり、容器の縁に凸凹が出来やすく、歪みが生じやすい。巻き込む部分に複数の切り込みを入れる場合もあるが、外縁を滑らかな円にするのは難しく、容器の形状についても、メンコの形が丸又は楕円の筒型が基本である。
【考案の概要】
【考案が解決しようとする課題】
【０００３】  側面にあたる帯の端を内側に巻き締めてストッパーを形成する際に、部分的に負荷がかかるのを解消し、容器の縁が凸凹のない滑らかな曲線になるようにする。
【課題を解決するための手段】
【０００４】  側面にあたる帯の巻き込み部分の形状を変えることで、熱や圧力をかけて巻き込む際のストッパー部分にかかる負荷が均等になるようにする。
【考案の効果】
【０００５】  これにより、ストッパーを形成する際に圧力が分散され、容器の天面から側面にかけての縁の部分が滑らかになる。また、容器の形状が円筒・楕円型だけでなく、複数の曲線や直線を組み合わせた形にも対応出来るようになる。
【図面の簡単な説明】
【０００６】
【図１】丸箱に使用した時の側面の状態を示す図
【図２】帯の形状を示す図
【図３】従来の帯を端から内側に巻き込んで湾曲させた状態を示す図
【図４】本考案の帯を端から内側に巻き込んで湾曲させた状態を示す図
【図１】
0003169180.tif 000003
【図２】
0003169180.tif 000004
【図３】
0003169180.tif 000005
【図４】
0003169180.tif 000006
(57)【要約】      （修正有）【課題】大径のサーバー用ボトルに代えて、リサイクルゴミとして廃棄が可能な適宜の大きさと重さとを有する小型ボトルと該ボトル装填用の常温水サーバーを提供する。【解決手段】小型ボトル本体１を、ぺット樹脂等のリサイクル素材で製造し、該小型ボトル本体１の直径を、１５センチメートル前後の寸法であって、かつ、４〜９リットル入りの容量の容器に形成し、該ボトル本体１を常温水サーバー２にセットするよう構成し、小型ボトルと該ボトル装填用の常温水サーバーとする。【選択図】図３
0003169251.tif 000002
【実用新案登録請求の範囲】
【請求項１】
小型ボトル本体（１）を、ぺット樹脂等のリサイクル素材で製造し、該小型ボトル本体（１）の直径（α）を、１５センチメートル前後の寸法であって、かつ、４〜９リットル入りの容量の容器に形成し、該小型ボトル本体（１）を、常温水サーバー（２）に装填するよう構成したことを特徴とする小型ボトルと該ボトル装填用の常温水サーバー。
【考案の詳細な説明】
【技術分野】
【０００１】
この考案は、小型ボトルと該ボトル装填用の常温水サーバーに関するものである。
【背景技術】
【０００２】
従来、宅配水事業は、その主流が、容量・１２リットル〜１９リットル入りのリユースボトルで行われており、オフィスや家庭に配達され、そこに設置されているウォーターサーバー（冷温水タイプ）に装填され、飲料水として使用されている。
【０００３】
このリユースボトルである，ウォーターサーバー用ボトルは、通称ガロンボトルと呼ばれ、容量が大きく、このボトルを使用すれば、一度に多くの水を運ぶことができ、大変便利ではあるが、かなり重量があり、配達の際の運搬作業が煩雑であり、しかも、その多くは、定期配達、かつ、リターナブルのため、欲しい時には直ぐに注文できないという欠点があった。
【０００４】
さらに、顧客側は、ウォーターサーバー（冷温水タイプ）は、５００Ｗ程度の電気が必要であり、内部清掃が困難であるとの苦情や、ボトルは、大型のため室内においては場所を占め、また、販売店側も、在庫負担や保管に場所を取り、しかも、リユースボトルのため、回収の必要もあり、配達作業も到って煩雑であるとの欠点があった。
【０００５】
一方、サーバー用以外のウォーターボトルでは，ボトルの容量は、２リットル、あるいは４リットル程度であり、運搬には軽くて便利であるが、容量が少ないため、再三、補充する必要があった。
【考案の概要】
【考案が解決しようとする課題】
【０００６】
そこでこの考案は、従来の大径のサーバー用ボトルに代えて、リユースの必要がなく、配達作業も簡単である，適宜の大きさと重さとを有する小型ボトルと該ボトル装填用の常温水サーバーを開発・提供するものである。
【課題を解決するための手段】
【０００７】
この考案である課題を解決するための手段は、従来の宅配水事業とは異なり、リユースボトルでなく、リサイクル素材で構成された使い捨てのボトルと、常温水サーバーとの組み合わせであり、かつ、従来に比べて、より容積を少なくて、運搬・保管に便利な小型ボトルと該ボトル装填用の常温水サーバーとするものである。
【考案の効果】
【０００８】
この考案によると、従来のガロンボトルの一つである，１２リットル入りのボトル（直径２１センチメートル）に比べて、本願の小型ボトル本体は、マイナス６センチメートルと細く、また、容量も４〜９リットルと軽く、配達、倉庫保管、在庫管理に便利であり、しかも、常温ボトルのため、電気が不要であり、節電にも貢献でき、さらに、ぺット樹脂等のリサイクル素材を使用しており、販売店側も回収の必要がなく、顧客側にて、リサイクルゴミとして廃棄でき、このボトルは、資源の再利用に貢献できる等、極めて有益な効果を奏するものである。
【０００９】
さらに、常温水サーバーは、電気が必要でないので節電に寄与し、また容易に清掃ができる構造となっており、冷温水タイプと異なり、顧客が清掃を行え、常に、清潔に保つことにより、ボトル水を衛生的に提供できるとの効果も有するものである。
【図面の簡単な説明】
【００１０】
【図１】この考案の一実施例を示す斜視図である。
【図２】この考案の一実施例を示す断面図である。
【図３】この考案の一使用状態を示す正面図である。
【考案を実施するための形態】
【００１１】
この考案は、従来のリターナブルの１２リットルボトルより容量を少なくし、市販用のボトルよりは容量の大きく、４〜９リットルの小型ボトルであり、その素材はリサイクルゴミとして廃棄が可能な小型ボトルと該ボトル装填用の常温水サーバーである。
【実施例】
【００１２】
この考案の一実施例を図１、および図２に基づいて説明すると、小型ボトル本体（１）を、ぺット樹脂等のリサイクル素材で製造し、該小型ボトル本体（１）の直径（α）を、１５センチメートル前後の寸法に形成し、かつ、８リットル入りの容量とし、該小型ボトル本体（１）を常温水サーバー（２）にセットするよう構成したことを特徴とする小型ボトルと該ボトル装填用の常温水サーバーから構成されるものである。
【００１３】
尚、小型ボトルは、４〜９リットルと、複数の容量の異なったボトルであることを述べたが、常温水サーバ（２）への装填口は、当然、すべて同一の大きさのものである。
【００１４】
また、小型ボトル本体（１）の素材は、ＰＥＴ（ペット）ボトルと呼ばれる，ポリエチレンテレフタレート（Polyethyleneterephthalate ）という，石油からつくられたテレフタル酸とエチレングリコールを原料として、高温・高真空化で化学反応させてつくられる樹脂の一つである。
【００１５】
さらに、小型ボトル本体（１）の専用の常温水サーバー（２）は、適宜の径と高さ寸法を有する基台（２ａ）を設け、該基台（２ａ）に上面には、周囲にパッキンを介して天然水等が充填された小型ボトル本体（１）を、逆さにして装填し、基台（２ａ）の正面に位置するレバー（２ｂ）の下部に、コップ等を載置し、レバー（２ｂ）を開口して、天然水を入れるものである。尚、レバー（２ｂ）の位置は、高さのあるコップに充分対応できるよう、出来るだけ上部に形成する。
【産業上の利用可能性】
【００１６】
この考案によると、小型ボトルと該ボトル装填用の常温水サーバーの技術を確立し、実施・販売することにより産業上の利用可能性がある。
【符号の説明】
【００１７】
１  小型ボトル本体
２  常温水サーバー
２ａ  基台
２ｂ  レバー
【図１】
0003169251.tif 000003
【図２】
0003169251.tif 000004
【図３】
0003169251.tif 000005